(57)【特許請求の範囲】
【請求項１】
ヘッドバンド型多指向性音響装置であって、
左右両端に延伸した、外側に発声部を有する二つの発声装置を有し、且つ、一つの緩衝部材および二つの折曲げ機構を有するヘッドバンド部材を備え、
該発声部にはシールド構成が設けられ、該発声部と該シールド構成の間に少なくとも一つの外部に向く発声口が形成されたことを特徴とするヘッドバンド型多指向性音響装置。
【請求項２】
該折曲げ機構には、該ヘッドバンド部材から延伸した二つの発声装置を内に折り畳む角度を調整することができる回転軸を有することを特徴とする請求項１に記載のヘッドバンド型多指向性音響装置。
【請求項３】
該緩衝部材の内部にはＰＣＢ板および電池を収納可能であり、該ＰＣＢ板および電池が該発声装置に電気的に接続していることを特徴とする請求項１に記載のヘッドバンド型多指向性音響装置。
【請求項４】
該緩衝部材はゴム材で製造されていることを特徴とする請求項１に記載のヘッドバンド型多指向性音響装置。
【請求項５】
該発声装置の内部には少なくとも一つのスピーカーを有することを特徴とする請求項１に記載のヘッドバンド型多指向性音響装置。
【請求項６】
該発声装置には内側に向ける押当部が設けられたことを特徴とする請求項１に記載のヘッドバンド型多指向性音響装置。
【請求項７】
該押当部はゴム材で製造されていることを特徴とする請求項６に記載のヘッドバンド型多指向性音響装置。
【請求項８】
該ヘッドバンド部材の表面には金属の殻が添付されることを特徴とする請求項１に記載のヘッドバンド型多指向性音響装置。
【請求項９】
該発声装置の表面には金属の殻が添付されることを特徴とする請求項１に記載のヘッドバンド型多指向性音響装置。
【発明の詳細な説明】
【技術分野】
【０００１】
本発明は、ヘッドバンド型多指向性音響装置に関し、特に、音を外部に放送可能なヘッドバンド型音響装置に関する。
【背景技術】
【０００２】
現在、一般のイヤフォンは、いずれも内蔵したスピーカーを介してイヤフォンの内部から外部に音を発する。そして、イヤフォンは、だいたい耳掛け型およびヘッドバンド型に分けられている。耳掛け型イヤフォンは、直接耳につけると鼓膜に近すぎて、長時間に亘ってイヤフォンを付けた場合、耳の軟組織は長期間に亘ってある程度の音の刺激を受けることになるので、聴力障害を引き起こすことになる。一方、ヘッドバンド型イヤフォンは、鼓膜に近すぎないので、鼓膜に対する傷害を低減できるが、外形が大きいので、携帯に便利ではない。個人化したウォークマン（登録商標）への要求について言えば、元々要求された弾性および機動性の特性が失われる。
【０００３】
上記した耳掛け型とヘッドバンド型のイヤフォンはともに長所と短所があるが、発声口が直接耳に当たり耳が塞がれるので、使用者は発声口から放送される音以外の外部音に注意力を集中できず、周囲の事物に対する鋭敏さが低減して反応が鈍くなり、外部の警告音をうっかり聞き逃して交通事故に巻き込まれる。したがって、音が外部へ向けて放送可能なヘッドバンド型音響装置を発明することができれば、一番の好ましい解決策となるはずである。
【発明の概要】
【発明が解決しようとする課題】
【０００４】
本発明は以上の点に鑑みて成されたもので、音を外部に放送可能なヘッドバンド型音響装置であって、イヤフォンが直接耳に傷害を加えることを防ぎ、さらに使用者に注意力を失わないように音に集中させないヘッドバンド型多指向性音響装置の提供を目的とする。
【課題を解決するための手段】
【０００５】
上記発明の目的を奏するヘッドバンド型多指向性音響装置は、ヘッドバンド部材から左右両端に延伸してなった二つの発声装置を有し、当該ヘッドバンド部材には、当該ヘッドバンド部材における二つの発声装置を内に折り畳ませることができる一つの緩衝部材および二つの折曲げ機構を有し、当該発声装置には外側に向く発声部が設けられ、また、当該発声部にはシールド構成が設けられ、当該発声部と当該シールド構成の間には発声口が設けられ、当該発声部からの音が当該シールド構成で反射されて発声口を通じて外部へ発声する。
したがって、使用者が当該ヘッドバンド型多指向性音響装置をかぶせると、当該発声部から発した音が聞こえるだけでなく、イヤフォンが直接耳に傷害を加えること、あるいは使用者が注意力を集中しないことを避けることができる。
【０００６】
もっと具体的にいえば、前記折曲げ機構には、当該ヘッドバンド部材から延伸した二つの発声装置を内に折り畳む角度を調整可能で、完全内に折り畳まれたヘッドバンド型多指向性音響装置を平面上に置くことができる回転軸を有する。
もっと具体的にいえば、前記緩衝部材の内部にはＰＣＢ板および電池を収納可能であり、当該ＰＣＢ板および電池が発声装置に接続している。
もっと具体的にいえば、前記緩衝部材はゴム材で製造されてなったものである。
もっと具体的にいえば、前記発声装置の内部には少なくとも一つのスピーカーを有する。
もっと具体的にいえば、前記発声装置の内側には、当該発声装置を使用者の頭部の側面に貼付けさせる押当部が設けられ、当該押当部はゴム材で製造されてなったものである。
もっと具体的にいえば、当該ヘッドバンド部材の表面には金属の殻が添付される。
もっと具体的にいえば、当該発声装置の表面には金属の殻が添付される。
【図面の簡単な説明】
【０００７】
【図１Ａ】図１Ａは、ヘッドバンド型多指向性音響装置の参考例の斜視図である。
【図１Ｂ】図１Ｂは、ヘッドバンド型多指向性音響装置の参考例であり、折り畳んだ状態を示す図である。
【図２Ａ】図２Ａは、ヘッドバンド型多指向性音響装置の発声装置の組み合わせを示す図である。
【図２Ｂ】図２Ｂは、ヘッドバンド型多指向性音響装置の発声装置を分解した構成を示す図である。
【図３Ａ】図３Ａは、ヘッドバンド型多指向性音響装置の発声装置の断面図である。
【図３Ｂ】図３Ｂは、ヘッドバンド型多指向性音響装置の発声装置の発声を示す図である。
【図４】図４は、ヘッドバンド型多指向性音響装置の参考例の応用を示す図である。
【図５Ａ】図５Ａは、本発明に係るヘッドバンド型多指向性音響装置の実施例の斜視図である。
【図５Ｂ】図５Ｂは、本発明に係るヘッドバンド型多指向性音響装置の実施例で、折り畳んだ状態を示す図である。
【図６Ａ】図６Ａは、本発明に係るヘッドバンド型多指向性音響装置の発声装置の断面図である。
【図６Ｂ】図６Ｂは、本発明に係るヘッドバンド型多指向性音響装置の発声装置の発声を示す図である。
【図７】図７は、本発明に係るヘッドバンド型多指向性音響装置の実施例の応用を示す図である。
【発明を実施するための形態】
【０００８】
本発明の上記事項と他の技術事項、特徴および効果については、以下、図面を参照しながら好ましい実施例を詳しく説明した上、明らかに現れることができる。
【０００９】
図１Ａは、本発明に係るヘッドバンド型多指向性音響装置の参考例の斜視図であり、図１Ｂは参考例で折り畳んだ状態を示す図であり、図２Ａは発声装置の組み合わせを示す図であり、図２Ｂは発声装置を分解した構成を示す図であり、図３Ａは発声装置の断面図であり、図３Ｂは発声装置の発声を示す図であり、図４は参考例の応用を示す図である。図面から当該ヘッドバンド型多指向性音響装置は次のような構成を備えていることがわかる。
【００１０】
ヘッドバンド型多指向性音響装置はヘッドバンド部材１とマスク２とを備えている。
ヘッドバンド部材１は、左右両端に延伸して外側には発声部１１１１を有する二つの発声装置１１を有する。当該ヘッドバンド部材１には、一つの緩衝部材１２および二つの折曲げ機構１３を有する。当該折曲げ機構１３は当該ヘッドバンド部材１の左右両端に延伸してなった二つの発声装置１１を内側に折り畳むことができる。各発声装置１１には発声部１１１１が外向きに設けてある。
【００１１】
当該マスク２は四つのフレーム２１を有していて、フレーム２１を介して発声部１１１１に設けられている。マスク２と発声部１１１１の間、すなわち各フレーム２１の間には、少なくとも一つの発声口２３が形成されている。これにより、当該発声部１１１１から発した音が当該発声口２３を介して周囲へ拡散させることができる。
【００１２】
したがって、使用者３が当該ヘッドバンド型多指向性音響装置をかぶせると(耳の上にかぶせる)、当該発声部１１１１から発した音がマスク２の上端面２２に阻まれて周囲へ拡散し、さらに、発声部１１１１から発した音を発声口２３から周囲へ拡散するので、使用者３は発声部１１１１を使用者３の耳に向けなくても、スピーカー１１１の発声部１１１１からの音を聞くことができる。
特記すべき点として、当該折曲げ機構１３は、当該ヘッドバンド部材１から延伸した二つの発声装置１１を内側へ向けて折り畳むための回転軸１３１を有する。二つの発声装置１１の折り曲げ角度は調整可能に構成されていて、ヘッドバンド型多指向性音響装置を完全に内側に折り畳んだときにヘッドバンド型多指向性音響装置を平面上に置くことができる。
特記すべき点として、前記緩衝部材１２の内部には、ＰＣＢ板および電池(図に示していない)を収納可能である。ＰＣＢ板および電池は発声装置１１に電気的に接続されている。
特記すべき点として、前記緩衝部材１２はゴム材、またはこれに類した素材で製造されていて、使用者の頭部にヘッドバンド型多指向性音響装置を快適にかぶせることができる。
特記すべき点として、前記発声装置１１の内部には少なくとも一つのスピーカー１１１を有する。
特記すべき点として、前記発声装置１１の内側には、当該発声装置１１を使用者の頭部の側面に当接する押当部１１２が設けられている。押当部１１２はゴム材、またはこれに類した素材で製造されている。
特記すべき点として、ヘッドバンド部材１の表面には金属の殻が添付されている。
特記すべき点として、当該発声装置の表面には金属の殻(図に示していない)が添付される。
【００１３】
図５Ａ、図５Ｂ、図６Ａ、図６Ｂ、及び図７は、本発明に係るヘッドバンド型多指向性音響装置の実施例の斜視図であり、実施例で折り畳んだ状態を示す図であり、発声装置の発声を示す図であり、及び実施例の応用を示す図である。
図面からわかるように、本例における当該ヘッドバンド型多指向性音響装置はヘッドバンド部材４を備えている。当該ヘッドバンド部材４は、左右両端に延伸して外側には発声部４１１１を有する二つの発声装置４１を有する。当該ヘッドバンド部材４は一つの緩衝部材４２および二つの折曲げ機構４３を有する。折曲げ機構４３を介して当該ヘッドバンド部材４の左右両端に延伸した二つの発声装置４１を内側に折り畳むことができる。
なお、当該発声部４１１１にはシールド構成４１２が設けられている。当該発声部４１１１と当該シールド構成４１２の間には、少なくとも一つの外部に向く発声口４１３が形成されている。そのため、当該発声部４１１１から発した音が、当該シールド構成４１２で反射して発声口４１３を通じて外部へ発することができる。
【００１４】
使用者が当該ヘッドバンド型多指向性音響装置をかぶせると(耳の上にかぶせる)、当該発声部４１１１から発した音が当該シールド構成４１２の影響を受け、音が反射して発声口４１３に向き、当該発声口４１３により発声部４１１１から発した音を外部に出すことができる。使用者３は発声部４１１１が耳に向いていなくとも、当該スピーカー４１１の発声部４１１１からの音が聞こえる。
特記すべき点として、前記折曲げ機構４３には、当該ヘッドバンド部材４から延伸した二つの発声装置４１を内に折り畳む角度を調整可能で、完全内に折り畳まれたヘッドバンド型多指向性音響装置を平面上に置くことができる回転軸４３１を有する。
特記すべき点として、当該緩衝部材４２の内部にはＰＣＢ板および電池(図面に示していない)を収納可能であり、当該ＰＣＢ板および電池が発声装置４１に接続している。
特記すべき点として、当該緩衝部材４２はゴム材で製造されてなったものであり、使用者が当該ヘッドバンド型多指向性音響装置をかぶせると、快適にかぶせることができる。
特記すべき点として、当該発声装置４１の内部には少なくとも一つのスピーカー４１１を有する。
特記すべき点として、当該発声装置４１の内側には、当該発声装置４１を使用者の頭部の側面に貼付けさせる押当部４１４が設けられ、当該押当部４１４はゴム材で製造されてなったものである。
特記すべき点として、当該ヘッドバンド部材４の表面には金属の殻が添付される(図面に示していない)。
特記すべき点として、当該発声装置４１の表面には金属の殻が添付される(図面に示していない)。
本発明により提供するヘッドバンド型多指向性音響装置は、従来の技術と比べると、次のようなメリットがある。
１．本発明は音を外部に放送可能なヘッドバンド型音響装置であるので、使用者がイヤフォンのせいで注意力を集中しないことを避けることができる。
２．本発明は音を外部に放送可能なヘッドバンド型音響装置であるので、長時間でかぶせた場合でも、聴力の傷害になる可能性が非常に少ない。
【００１５】
以上詳しく説明した各実施形態例は、あくまでも本発明の技術的内容及び精神を明らかにする意図においてなされたものであり、本発明はそうした具体実施例に限定して狭義に解釈されるべきものではなく、本発明の精神とクレームに述べられた範囲で、いろいろと変更して実施できるものであり、且つ、それらはいずれも本発明の技術的範囲に含まれるものである。
【符号の説明】
【００１６】
１        ヘッドバンド部材
１１      発声装置
１１１    スピーカー
１１１１  発声部
１１２    押当部
１２      緩衝部材
１３      折曲げ機構
１３１    回転軸
２        マスク
２１      フレーム
２２      上端面
２３      発声口
３        使用者
４        ヘッドバンド部材
４１      発声装置
４１１    スピーカー
４１１１  発声部
４１２    シールド構成
４１３    発声部
４１４    押当部
４２      緩衝部材
４３      折曲げ機構
４３１    回転軸
【図１Ａ】
0005253545.tif 000002
【図１Ｂ】
0005253545.tif 000003
【図２Ａ】
0005253545.tif 000004
【図２Ｂ】
0005253545.tif 000005
【図３Ａ】
0005253545.tif 000006
【図３Ｂ】
0005253545.tif 000007
【図４】
0005253545.tif 000008
【図５Ａ】
0005253545.tif 000009
【図５Ｂ】
0005253545.tif 000010
【図６Ａ】
0005253545.tif 000011
【図６Ｂ】
0005253545.tif 000012
【図７】
0005253545.tif 000013